(57)【要約】【課題】本発明は、簡単な構成で、かつ安定した昇降動作が行われる昇降手段を備えた食器洗い機を提供することを目的とする。【解決手段】本発明は、外枠体と、前後方向に移動して前記外枠体に出し入りをする洗浄槽と、この洗浄槽の出し入りを案内する案内手段と、前記洗浄槽内に置かれる食器かごと、この食器かごを上下に昇降させる昇降手段とを有する食器洗い機において、前記昇降手段は、前記洗浄槽内に横に設けられ、かつ螺旋ネジが形成された回転自在なる回転ロッドと、前記回転ロッドの螺旋ネジに螺合し、かつ回転ロッドの回転により近づいたり、離れたりするように横行移動する二つの横行移動部材と、一端が前記横行移動部材に可動自在に連結され、他端が前記食器かご側に回動自在に連結される二つのリンク部材と、前記回転ロッドを回転駆動する駆動手段を有することを特徴とする。【選択図】図１
2006141526.tif 000002
【特許請求の範囲】
【請求項１】
外枠体と、前後方向に移動して前記外枠体に出し入りをする洗浄槽と、この洗浄槽の出し入りを案内する案内手段と、前記洗浄槽内に置かれる食器かごと、この食器かごを上下に昇降させる昇降手段とを有する食器洗い機において、
前記昇降手段は、前記洗浄槽内に横に設けられ、かつ螺旋ネジが形成された回転自在なる回転ロッドと、前記回転ロッドの螺旋ネジに螺合し、かつ回転ロッドの回転により近づいたり、離れたりするように横行移動する二つの横行移動部材と、一端が前記横行移動部材に可動自在に連結され、他端が前記食器かご側に回動自在に連結される二つのリンク部材と、前記回転ロッドを回転駆動する駆動手段を有することを特徴とする食器洗い機。
【請求項２】
外枠体と、前後方向に移動して前記外枠体に出し入りをする洗浄槽と、この洗浄槽の出し入りを案内する案内手段と、前記洗浄槽内に置かれる食器かごと、この食器かごを載置し、かつ上下に昇降移動する載置トレーと、食器かごを上下に昇降させる昇降手段とを有する食器洗い機において、
前記昇降手段は、前記洗浄槽内に横に設けられ、かつ螺旋ネジが形成された回転自在なる回転ロッドと、前記回転ロッドの螺旋ネジに螺合し、かつ回転ロッドの回転により近づいたり、離れたりするように横行移動する二つの横行移動部材と、一端が前記横行移動部材に可動自在に連結され、他端が前記載置トレー側に回動自在に連結される二つのリンク部材と、前記回転ロッドを回転駆動する駆動手段を有することを特徴とする食器洗い機。
【請求項３】
請求項１または２記載の食器洗い機において、
前記回転ロッドを二本揃えて設けたことを特徴とする食器洗い機。
【請求項４】
請求項１から３の何れか一つに記載された食器洗い機において、
前記駆動手段として電動機を用い、前記電動機を前記洗浄槽の外底部側に配置したことを特徴とする食器洗い機。
【請求項５】
請求項３に記載された食器洗い機において、
前記洗浄槽の外側に突出した前記二つの回転ロッドの一端にそれぞれロッド側歯車を設け、
前記駆動手段に駆動歯車を設け、この駆動歯車と前記ロッド側歯車に噛み合わせたことを特徴とする食器洗い機。
【請求項６】
請求項１から５の何れか一つに記載された食器洗い機において、
前記回転ロッドの両端側を回転自在に支持する軸受を設けたことを特徴とする食器洗い機。
【発明の詳細な説明】
【技術分野】
【０００１】
本発明は、洗浄槽内に設けた食器かごを昇降できる食器洗い機の改良に係わるものである。
【背景技術】
【０００２】
この種の食器洗い機は、例えば、特許文献１（特開２００１−２２４５４７号公報）に示される。
【０００３】
食器洗い機は、洗浄槽内に設けた食器かごを昇降できる昇降手段を有する。洗浄槽内の食器かごを上方に移動させた上昇位置で食器の出し入れが行われる。
【０００４】
【特許文献１】特開２００１−２２４５４７号公報
【発明の開示】
【発明が解決しようとする課題】
【０００５】
上記従来の食器洗い機は、水圧シリンダーを用いた昇降手段を有する。
【０００６】
水圧シリンダーの昇降手段は、圧力源の水道水を切り替える切り替え装置や配管が複雑である。また、水道水の水圧が変ると昇降動作が不安定になる等の問題をある。
【０００７】
本発明は、上記の問題に鑑み、簡単な構成で、かつ安定した昇降動作が行われる昇降手段を備えた食器洗い機を提供することを目的とする。
【課題を解決するための手段】
【０００８】
本発明は、外枠体と、前後方向に移動して前記外枠体に出し入りをする洗浄槽と、この洗浄槽の出し入りを案内する案内手段と、前記洗浄槽内に置かれる食器かごと、この食器かごを上下に昇降させる昇降手段とを有する食器洗い機において、前記昇降手段は、前記洗浄槽内に横に設けられ、かつ螺旋ネジが形成された回転自在なる回転ロッドと、前記回転ロッドの螺旋ネジに螺合し、かつ回転ロッドの回転により近づいたり、離れたりするように横行移動する二つの横行移動部材と、一端が前記横行移動部材に可動自在に連結され、他端が前記食器かご側に可動自在に連結される二つのリンク部材と、前記回転ロッドを回転駆動する駆動手段を有することを特徴とする。
【発明の効果】
【０００９】
本発明によれば、簡単な構成で、かつ安定した昇降動作をする昇降手段を備えた食器洗い機を提供できる。
【発明を実施するための最良の形態】
【００１０】
本発明の実施形態に係わる実施例について、図を引用して説明する。
【００１１】
まず、図１〜図４に沿って食器洗い機の概要を説明する。この食器洗い機は、台所の流し台に組み込まれる形態のものである。
【００１２】
食器洗い機の外枠体１内には、洗浄槽２が備わる。洗浄槽２は、外枠体１に引き出し自在に収納される。図示されていないが、洗浄槽２の出し入れを円滑にするための案内レールやローラなどが備わる。洗浄槽２の前面には、各種のスイッチや各種の表示ランプ等が配置された操作パネル３が設けられる。また操作パネル３の下部が洗浄槽２を出し入れする操作ハンドルになっている。
【００１３】
食器類を収納する食器かご４は、洗浄槽２に備わる。食器かご４の下方になる洗浄槽２の内底には、回転ノズル体５と電動ポンプ６が設けられる。回転ノズル体５は、洗浄水を噴射するノズル７を有する。電動ポンプ６は、回転ノズル体５に洗浄水を加圧供給する。この加圧供給水を受けて回転ノズル体５は、ノズル７から勢いよく洗浄水を噴射し、その反動で回転ノズル体５は回転する。回転ノズル体５は、回転しながら広範囲に洗浄水を噴射する。
【００１４】
電動ポンプ６は、排水ポンプ部１０を有する。電動ポンプ６は、回転ノズル体５に洗浄水を供給する洗浄ポンプ部と、洗浄水を排水する排水ポンプ部１０を有するのである。排水ポンプ部１０は、洗浄槽２の底部に設けた排水口８から洗浄水を吸い込み、排水ホース（図示せず）を介して食器洗い機の機外に排水する。
【００１５】
洗浄ポンプ部と排水ポンプ部１０は、電動ポンプ６の回転方向によって切り替わる。正転方向の回転では、洗浄ポンプ部がポンプとして機能し、逆転方向の回転では排水ポンプ部１０がポンプとして機能するように切り替わる。電動ポンプ６を駆動するモータの正転／逆転によって切り替えが行われる。
【００１６】
食器かご４は、洗浄槽２内を上下に昇降する。食器かご４は、食器洗い機が稼動しているときには洗浄槽２の内底側に位置している。食器の出し入れに際して、食器かご４は、上側に上げた上昇位置に置かれる。食器かご４が上昇位置にあるので、食器の出し入れがし易い。
【００１７】
次に食器かごの昇降を行う昇降手段について述べる。
【００１８】
昇降手段は、回転ロッド２０と、二つの横行移動部材２１,２２と、二つのリンク部材２３，２４を有する。回転ロッド２０は、洗浄槽２の内底側に二本横並びにして置かれる。図４に示すように回転ロッド２０は、離して置かれ、平行になるように配置される。回転ロッド２０の両端側は、軸支持台２５，２６に回転自在に支持される。回転ロッド２０の一端側は、軸支持台２６および洗浄槽２の槽壁を貫いて洗浄槽２の外側に突出する。この突出した端部側にロッド側歯車２７が設けられる。
【００１９】
駆動手段である電動機２８は、洗浄槽２の外側にあって二つの回転ロッド２０の中間に位置するように置かれる。電動機２８の回転軸２９は外周に駆動歯車を有する。この駆動歯車とロッド側歯車２７が噛み合わされ、電動機２８の回転が二つの回転ロッド２０に伝わる。電動機２８は、二本のネジ３０で洗浄槽２に固定される。
【００２０】
電動機２８が洗浄槽２の外側に設けたので、洗浄槽２の内部に設けるものに比べ、電気絶縁が簡単になった。駆動歯車とロッド側歯車２７との噛み合わせを洗浄槽２の外側にしたので、この点でも電気の安全性が向上した。また駆動歯車を中央にして両側のロッド側歯車２７に回転を伝達する構成なので、構成が簡単である。
【００２１】
また電動機２８を含む駆動手段は、洗浄槽２の後部背面に背負い込まれるように設けられる。洗浄槽２の後部背面側と、外枠体１の内側面との間にできる空間を利用して配置されるので、食器洗い機をコンパクト化することができる。
【００２２】
二つの回転ロッド２０は、外周に形成した螺旋ネジを有する。この螺旋ネジに螺合する二つの横行移動部材２１，２２が回転ロッド２０に横行移動自在に回転ロッド２０に取り付けられる。二つの横行移動部材２１，２２は、回転ロッド２０の回転にともなって、近づいたり、離れたりするように横行移動する。回転ロッド２０の一方（正回転）では、二つの横行移動部材２１，２２が近づき、他方（逆回転）では、離れるように作動する。
【００２３】
二つのリンク部材２３，２４は、一端が横行移動部材２１，２２に、他端が食器かご４の底部に設けたリンク支持台３２に回動自在に連結される。回転ロッド２０の正回転で、横行移動部材２１，２２が近づくように移動すると、リンク部材２３，２４は、図３に示すように、立ち上がるように作動して食器かご４を上昇移動させる。逆に、回転ロッド２０の正回転で、横行移動部材２１，２２が離れるように移動すると、リンク部材２３，２４は、図2に示すように、倒れるように作動して食器かご４を降下移動させる。
【００２４】
食器かご４の昇降は、４本のリンク部材２３，２４で行われるので、傾き無く安定した状態の上げ下げができる。食器かごの上げ下げ高低は、２００ｍｍ程度であるが、回転ロッド２０の配置幅を更に広げると、安定さは更に向上する。
【００２５】
このように、昇降手段は、回転ロッド２０と、二つの横行移動部材２１,２２と、二つのリンク部材２３，２４と、駆動手段（電動機）等で構成されるので、昇降シリンダーを用いるものに比べ、構成が簡単である。また、水道の水圧を利用する昇降シリンダーに比べ、安定した昇降動作を得ることができる。また横行移動部材２１，２２が回転ロッド２０の螺旋ネジ螺合してリンク部材２３、２４を作動させる構成は、回転ロッド２０の回転で横行移動部材２１,２２が横行移動するので、食器かごの荷重で自然降下する不具合は生じない。別にブレーキを設けることは不要である。
【００２６】
次に食器洗い機のブロック制御回路について図５に沿い説明する。
【００２７】
制御手段（マイコン）４０は、溢水センサ４１、水位センサ４２、ヒータ温度検知手段４３、エアポンプ圧力スイッチ４４、ドアスイッチ４５、操作部４６、引出完了検知スイッチ４７の各種信号を演算処理して各種負荷を制御したり、表示部４８の表示制御を行う。
【００２８】
電源回路６０は、商用電源６１の交流を低圧の直流に換えて制御手段４０に供給する。電動ポンプ用のモータ６２は、インバータ回路６３により駆動される。インバータ回路６３には、フィルタ回路６４、全波整流回路６５を介して商用電源６１の交流を直流に換えた直流電力が供給される。
【００２９】
インバータ回路６３に供給される直流の電圧は電圧検知手段６６で検知され、直流の電流は電流検知手段６７で検知される。インバータ回路６３は、制御手段４０に指示のもとで、作動する駆動回路６８の信号により駆動制御される。モータ６２はブラシレスＤＣモ−タで、磁極位置検知回路６９が出力する磁極位置検知信号に基づいて駆動電流の通電が行われる。
【００３０】
シーズヒータ８０は、洗浄水の加熱をするもので、洗浄槽２の下部に設けられる水溜部に備えられる。シーズヒータ８０は、温度ヒュ−ズ８１、温度サーモスイッチ８２をヒータリレー８３の接点８３Ａを介して商用電源６１に接続される。ヒータリレー８３の励磁コイル８３Ｂは、制御手段４０の指示により通電が行われ、励磁コイル８３Ｂの励磁により、シーズヒータ８０に通電が行われる。
【００３１】
エアポンプ８４は、洗浄槽２の上縁部と、外枠体１の内側天井とのシールパッキングを伸縮させるポンプで、排気ポンプ部８４Ａと、給水ポンプ部８４Ｂを有する。排気ポンプ部８４Ａは、シールパッキングの空気を抜く。給水ポンプ部８４Ｂはシールパッキングに空気を供給する。
【００３２】
排気ポンプ部８４Ａは、排気ポンプリレー８５の接点８５Ａを介して商用電源６１に接続される。給気ポンプ部８４Ｂは、給気ポンプリレー８６の接点８６Ａを介して商用電源６１に接続される。排気ポンプリレー８５の励磁コイル８５Ｂは、制御手段４０の指示により通電が行われ、励磁コイル８５Ｂの励磁により、排気ポンプ部８４Ａが駆動される。給気ポンプリレー８６の励磁コイル８６Ｂは、制御手段４０の指示により通電が行われ、励磁コイル８６Ｂの励磁により、給気ポンプ部８４Ｂが駆動される。
【００３３】
給気ポンプ部８４Ｂの駆動はエアポンプ圧力スイッチ４４の検知圧力により制御され、シールパッキングは良好なシール状態に保たれ、洗浄水の漏れが防がれる。
【００３４】
ファンモータ８７は、洗浄槽２内に乾燥空気を循環させるもので、すすぎ工程後に運転される。ファンモータ８７は、ファンリレー８９の接点８９Ａを介して直流の電源回路６０に接続される。ファンリレー８９の励磁コイル８９Ｂは、制御手段４０の指示により通電が行われ、励磁コイル８９Ｂの励磁により、ファンモータ８７が駆動される。
【００３５】
昇降用の電動機２８は、前述したように食器かごの上げ下げに用いるもので、正転／逆転が行われる。正転で食器かごは上げられ、逆転で食器かごは下げられる。
【００３６】
昇降用の電動機２８は、正転りレー９０の接点９０Ａを介して直流の電源回路６０に接続される。正転りレー９０の励磁コイル９０Ｂは、制御手段４０の指示により通電が行われ、励磁コイル９０Ｂの励磁により、昇降用の電動機２８は正転する。
【００３７】
また、昇降用の電動機２８は、逆転りレー９１の接点９１Ａを介して直流の電源回路６０に接続される。逆転りレー９１の励磁コイル９１Ｂは、制御手段４０の指示により通電が行われ、励磁コイル９１Ｂの励磁により、昇降用の電動機２８は逆転する。
【００３８】
次に食器かごの上げ下げに関し、動作の面から説明する。
【００３９】
食器の出し入れに際し、洗浄槽２の操作ハンドルをつかんで洗浄槽２を図２に示すように引き出す。
【００４０】
洗浄槽２が完全に引き出されると、引出完了検知スイッチ４７に検知される。この引出完了検知スイッチ４７の検知信号を受けて制御手段４０は、昇降用の電動機２８の正転を指示する。昇降用の電動機２８の正転で回転ロッド２０が回転し、この回転にともない横行移動部材２１，２２が近づくように横行移動する。この横行移動にともないリンク部材２３、２４が立ち上がるように作動して食器かご４を上げる。
【００４１】
食器かご４が図３に示す上昇位置に達すると、上昇位置検知スイッチ（図示せず）が上昇位置検知信号を出力し、この出力信号を受けて制御手段４０は昇降用の電動機２８の正転は止める指示をする。食器かご４は、上昇位置に保持される。食器の出し入れは、食器かご４が上昇位置にあるので、洗浄槽２の内側底部にあるものに比べ、し易いのである。
【００４２】
食器かご４に食器を収納し終えたら、食器かご４を下方位置に下げる。この下方位置への移動は、操作パネル３に設けた降下指示スイッチ（図示せず）を押すこと、昇降用の電動機２８が逆転して行われる。
【００４３】
食器かご４が下方位置のところまで来ると、下方位置検知スイッチ（図示せず）が下方位置検知信号を出力し、この出力信号を受けて制御手段４０は昇降用の電動機２８の逆転を止める指示をするのである。
【００４４】
前述したように昇降用の電動機２８の正転は、引出完了検知スイッチ４７の検知信号を受けて行われるが、上昇指示すスイッチ（図示せず）を用いて指示することもできる。
【００４５】
次に図６を引用して他の実施例を説明する。
【００４６】
ここでは、先に述べた実施例との違いを主に説明する。共通するところは、共通の符号を付す程度に止める。
【００４７】
この実施例は、食器かご４を載置する昇降トレー９を設けた点が特徴である。また、前述したリンク支持台３２を、食器かご４の底部に設けないで昇降トレー９の底部に設けたところが先の実施例と相違する。
【００４８】
食器かご４は、昇降トレー９に載せたり、下ろしたりできる。食器かご４を下ろして洗浄槽２の内部を掃除できるので、掃除がし易い。また、食器が入ったままで、食器かご４を食器洗い機に出し入れする使い方もできるので、使い勝手が増す。
【００４９】
昇降トレー９は、周囲に上向きの縁部が設けられているので、食器かご４の位置ずれガ抑えられる。昇降トレー９は、周囲を除き、大部分が開口、あるいは格子状に形成されているので、回転ノズル体５から噴射した洗浄水で食器かご４の食器が良く洗浄される。また、食器かご４を容易に係合／離脱できる係合手段を昇降トレー９に設けることにより、食器かごの載置が安定する。
【図面の簡単な説明】
【００５０】
【図１】本発明の実施例に係わる食器洗い機の縦断面図。
【図２】本発明の実施例に係わる食器洗い機の縦断面図で、洗浄槽を引き出した状態を示す。
【図３】本発明の実施例に係わる食器洗い機の縦断面図で、食器かごを上昇位置に置いた状態を示す。
【図４】本発明の実施例に係わるもので、図３をＡ矢印方向から見た図。
【図５】本発明の実施例に係わる食器洗い機のブロック制御回路図。
【図６】本発明の他の実施例に係わる食器洗い機の縦断面図。
【符号の説明】
【００５１】
１…外枠体、２…洗浄槽、５…回転ノズル体、６…電動ポンプ、４…食器かご、２０…回転ロッド、２１,２２…横行移動部材、２３,２４…リンク部材。
【図１】
2006141526.tif 000003
【図２】
2006141526.tif 000004
【図３】
2006141526.tif 000005
【図４】
2006141526.tif 000006
【図５】
2006141526.tif 000007
【図６】
2006141526.tif 000008